(57)【特許請求の範囲】
【請求項１】
飲料が抽出される抽出材料を通過させずに前記飲料を通過させるフィルタと、
前記フィルタを密封状態で収容し、開封時に上部及び下部を開口させることにより筒状となる包装袋と、を備え、
前記フィルタは、開封後の前記包装袋の内部空間において当該フィルタの縁部が環状に広がった状態で、当該包装袋に固定され、
前記包装袋には、前記抽出材料から抽出された前記飲料を受ける容器に当該包装袋を固定するための固定部材が設けられており、
前記固定部材は、前記包装袋の内面に取り付けられていることを特徴とするドリップフィルタ収容体。
【請求項２】
請求項１に記載のドリップフィルタ収容体において、
前記フィルタは、前記包装袋の内面に貼着されることにより、当該包装袋に固定されるドリップフィルタ収容体。
【請求項３】
請求項２に記載のドリップフィルタ収容体において、
前記フィルタは、当該フィルタの前記縁部において前記包装袋の前記内面に貼着されるドリップフィルタ収容体。
【請求項４】
請求項３に記載のドリップフィルタ収容体において、
前記フィルタの前記縁部の全体が、前記包装袋の前記内面に貼着されるドリップフィルタ収容体。
【請求項５】
請求項２乃至４の何れかに記載のドリップフィルタ収容体において、
前記フィルタには、当該フィルタを前記包装袋の前記内面に貼着するための粘着材が設けられているドリップフィルタ収容体。
【請求項６】
請求項１乃至５の何れかに記載のドリップフィルタ収容体において、
前記フィルタは、開封前の前記包装袋には固定されていないドリップフィルタ収容体。
【請求項７】
請求項１乃至６の何れかに記載のドリップフィルタ収容体において、
前記フィルタは、袋状をしているドリップフィルタ収容体。
【請求項８】
請求項７に記載のドリップフィルタ収容体において、
前記フィルタは、周囲全体が閉じた袋状をしているドリップフィルタ収容体。
【請求項９】
請求項８に記載のドリップフィルタ収容体において、
前記フィルタ内には、前記抽出材料が閉じ込められているドリップフィルタ収容体。
【請求項１０】
請求項７乃至９の何れかに記載のドリップフィルタ収容体において、
前記フィルタの径は、当該フィルタの上部から下部に向かうにつれて、単調に小さくなるドリップフィルタ収容体。
【請求項１１】
請求項１乃至１０の何れかに記載のドリップフィルタ収容体において、
前記包装袋の内径は、当該包装袋の前記上部から中間部に向かうにつれて、単調に小さくなるドリップフィルタ収容体。
【請求項１２】
請求項１乃至１１の何れかに記載のドリップフィルタ収容体において、
前記包装袋には、当該包装袋の変形に追随して塑性変形する第１の可塑性部材が取り付けられているドリップフィルタ収容体。
【請求項１３】
請求項１２に記載のドリップフィルタ収容体において、
前記第１の可塑性部材は、前記包装袋の周方向に沿って延びているドリップフィルタ収容体。
【請求項１４】
請求項１３に記載のドリップフィルタ収容体において、
前記第１の可塑性部材は、前記包装袋の周方向の全体に延在しているドリップフィルタ収容体。
【請求項１５】
請求項１２乃至１４の何れかに記載のドリップフィルタ収容体において、
前記第１の可塑性部材は、前記フィルタが前記包装袋に固定された状態で、当該包装袋の前記上部と当該フィルタとの間の領域に位置するドリップフィルタ収容体。
【請求項１６】
請求項１２乃至１５の何れかに記載のドリップフィルタ収容体において、
前記包装袋には、前記第１の可塑性部材とは異なる位置に、当該包装袋の変形に追随して塑性変形する第２の可塑性部材が取り付けられているドリップフィルタ収容体。
【請求項１７】
請求項１６に記載のドリップフィルタ収容体において、
前記第２の可塑性部材は、前記包装袋の周方向に沿って延びているドリップフィルタ収容体。
【請求項１８】
請求項１７に記載のドリップフィルタ収容体において、
前記第２の可塑性部材は、前記包装袋の周方向の全体に延在しているドリップフィルタ収容体。
【請求項１９】
請求項１６乃至１８の何れかに記載のドリップフィルタ収容体において、
前記第２の可塑性部材は、前記フィルタが前記包装袋に固定された状態で、当該包装袋の前記下部と当該フィルタとの間の領域に位置するドリップフィルタ収容体。
【請求項２０】
請求項１乃至１９の何れかに記載のドリップフィルタ収容体において、
前記包装袋の一部には、当該包装袋の外部から内部を視認することが可能な覗き窓が設けられているドリップフィルタ収容体。
【請求項２１】
請求項２０に記載のドリップフィルタ収容体において、
前記覗き窓は、前記包装袋の前記一部を透明にすることにより形成されているドリップフィルタ収容体。
【請求項２２】
請求項２０又は２１に記載のドリップフィルタ収容体において、
前記包装袋の外面には、前記覗き窓を覆うように、不透明のシールが剥離可能に貼付されているドリップフィルタ収容体。
【請求項２３】
請求項１乃至２２の何れかに記載のドリップフィルタ収容体において、
前記包装袋には、前記固定部材として、前記容器の縁に掛止される掛止部材が設けられているドリップフィルタ収容体。
【請求項２４】
請求項１乃至２３の何れかに記載のドリップフィルタ収容体において、
前記包装袋には、前記固定部材として、伸縮性を有する環状部材が設けられており、
前記環状部材は、伸長した状態で前記容器の底部に掛止されるドリップフィルタ収容体。
【請求項２５】
請求項１乃至２４の何れかに記載のドリップフィルタ収容体において、
前記包装袋における前記上部から中間部までの領域を上部領域とし、当該包装袋における前記中間部から前記下部までの領域を下部領域としたとき、
前記上部領域における前記包装袋の内径は、前記下部領域における当該包装袋の内径よりも小さいドリップフィルタ収容体。
【請求項２６】
請求項２５に記載のドリップフィルタ収容体において、  
前記上部領域及び前記下部領域のうち前記下部領域においてのみ、前記包装袋の側面にガゼットが形成されているドリップフィルタ収容体。
【請求項２７】
請求項２５に記載のドリップフィルタ収容体において、
前記上部領域における前記包装袋の側面に第１のガゼットが形成されるとともに、前記下部領域における前記包装袋の側面に第２のガゼットが形成されており、
前記第１のガゼットの幅は、前記第２のガゼットの幅よりも小さいドリップフィルタ収容体。
【発明の詳細な説明】
【技術分野】
【０００１】
本発明は、飲料用のドリップフィルタが収容されたドリップフィルタ収容体に関する。
【背景技術】
【０００２】
特許文献１には、袋状のドリップフィルタ（ドリップバッグ）が記載されている。このドリップバッグは、上端部に開口部を有する袋本体と、袋本体の対向する２面の外表面に設けられた掛止部材とからなる。袋本体には、コーヒー粉末が充填されている。コーヒーカップ等の容器の縁に掛止部材が掛止されることにより、当該容器にドリップバッグが固定される。その状態で袋本体の開口部から湯を注ぐことにより、コーヒー粉末からコーヒーを抽出することができる。
【先行技術文献】
【特許文献】
【０００３】
【特許文献１】特開２００５−９５３１９号公報
【発明の概要】
【発明が解決しようとする課題】
【０００４】
上述のドリップバッグは、使用前、密封された包装袋内に収容されている。それゆえ、ユーザは、ドリップバッグが包装袋内に収容されたドリップフィルタ収容体を購入することになる。ドリップバッグを使用する際には、包装袋を開封し、その中からドリップバッグを取り出す。その後の包装袋は、不要となるため、廃棄物として処理される。このように従来のドリップフィルタ収容体においては、開封後の包装袋が活用されないという問題があった。
【０００５】
本発明は、上記課題に鑑みてなされたものであり、開封後の包装袋を活用できるドリップフィルタ収容体を提供することを目的とする。
【課題を解決するための手段】
【０００６】
本発明によるドリップフィルタ収容体は、飲料が抽出される抽出材料を通過させずに上記飲料を通過させるフィルタと、上記フィルタを密封状態で収容し、開封時に上部及び下部を開口させることにより筒状となる包装袋と、を備え、上記フィルタは、開封後の上記包装袋の内部空間において当該フィルタの縁部が環状に広がった状態で、当該包装袋に固定されることを特徴とする。
【０００７】
このドリップフィルタ収容体においては、筒状となるように開封された包装袋にフィルタが固定される。フィルタは、包装袋の内部空間において縁部が環状に広がった状態で固定される。このため、筒状の包装袋をカップ等の容器にセットし、包装袋の上部の開口から湯を注ぐことにより、フィルタ上の抽出材料から飲料を抽出することができる。このように本発明においては、開封後の包装袋が飲料の抽出に用いられる。
【発明の効果】
【０００８】
本発明によれば、開封後の包装袋を活用できるドリップフィルタ収容体が実現される。
【図面の簡単な説明】
【０００９】
【図１】本発明によるドリップフィルタ収容体の一実施形態を示す正面図である。
【図２】開封後の包装袋２０を示す斜視図である。
【図３】包装袋２０から取り出されたフィルタ１０を示す正面図である。
【図４】開封後の包装袋２０にフィルタ１０が固定された様子を示す斜視図である。
【図５】図４のフィルタ１０及び包装袋２０を上から見た平面図である。
【図６】図４の包装袋２０が容器９０にセットされた状態を示す斜視図である。
【図７】一変形例に係る包装袋２０を示す正面図である。
【図８】図７の包装袋２０が開封されて筒状に広げられた状態を示す斜視図である。
【図９】他の変形例に係る包装袋２０を示す正面図である。
【図１０】他の変形例に係る包装袋２０を示す正面図である。
【図１１】他の変形例に係る包装袋２０を示す正面図である。
【図１２】他の変形例に係る包装袋２０を示す正面図である。
【図１３】他の変形例に係る包装袋２０を示す正面図である。
【図１４】図１３の包装袋２０において下部２０ｂが折り返された状態を示す正面図である。
【図１５】図１４の包装袋２０が容器９０に固定された状態を示す側面図である。
【図１６】他の変形例に係る包装袋２０を示す正面図である。
【図１７】図１６の包装袋２０において下部２０ｂが折り返された状態を示す正面図である。
【図１８】図１７の包装袋２０が容器９０に固定された状態を示す側面図である。
【図１９】他の変形例に係る包装袋２０を示す正面図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明によるドリップフィルタ収容体の一実施形態を示す正面図である。ドリップフィルタ収容体１は、飲料用のドリップフィルタが収容されたドリップフィルタ収容体であり、フィルタ１０（ドリップフィルタ）、及び包装袋２０を備えている。
【００１２】
フィルタ１０は、飲料が抽出される抽出材料を通過させずに、当該抽出材料から抽出された飲料を通過させる。本実施形態において抽出材料は、コーヒー粉末である。フィルタ１０は、周囲全体が閉じた袋状をしている。フィルタ１０の径は、フィルタ１０の上部から下部（底部）に向かうにつれて、単調に小さくなっている。フィルタ１０内には、コーヒー粉末（図示せず）が閉じ込められている。フィルタ１０は、その上部（縁部１０ａ）が開口するように構成されている。詳細には、フィルタ１０の縁部１０ａにおける対向する面どうしが剥離可能に接着されている。これらの面を互いに引き離すように外力を加えることにより、フィルタ１０の縁部１０ａを開口させることができる。フィルタ１０の材料としては、例えば不織布を用いることができる。
【００１３】
フィルタ１０は、包装袋２０に収容されている。包装袋２０は、密封されている。すなわち、包装袋２０は、フィルタ１０を密封状態で収容している。包装袋２０には、上下２か所に開封口（図示せず）が設けられている。
【００１４】
図２は、開封後の包装袋２０を示す斜視図である。同図に示すように、上述の開封口から開封することにより、包装袋２０の上部２０ａ及び下部２０ｂを開口させることができる。このように包装袋２０は、開封時に上部２０ａ及び下部２０ｂを開口させることにより筒状となる。包装袋２０の材料としては、例えば、プラスチック及び／又はアルミニウムを用いることができる。包装袋２０は、プラスチック層の内側にアルミニウム層が設けられたアルミ蒸着フィルムからなっていてもよい。
【００１５】
図３は、包装袋２０から取り出されたフィルタ１０を示す正面図である。フィルタ１０には、粘着材１２が設けられている。粘着材１２は、フィルタ１０の縁部１０ａの全体にわたって設けられることが好ましい。粘着材１２は、フィルタ１０を包装袋２０の内面に貼着するためのものである。粘着材１２は、剥離紙（図示せず）で覆われている。フィルタ１０を包装袋２０から取り出した後に剥離紙を除去することにより、粘着材１２を介してフィルタ１０を包装袋２０の内面に貼着できるようになる。粘着材１２としては、例えば粘着テープを用いることができる。なお、図１等においては、粘着材１２の図示を省略している。
【００１６】
図４は、開封後の包装袋２０にフィルタ１０が固定された様子を示す斜視図である。同図に示すように、フィルタ１０は、開封後の包装袋２０の内部空間において縁部１０ａが環状に広がった状態で、包装袋２０に固定される。このとき、フィルタ１０の縁部１０ａの延在方向は、包装袋２０の周方向に一致する。フィルタ１０は、上述の粘着材１２を介して包装袋２０の内面に貼着されることにより、包装袋２０に固定される。詳細には、フィルタ１０は、その縁部１０ａにおいて包装袋２０の内面に貼着される。フィルタ１０の縁部１０ａの全体が包装袋２０の内面に貼着されることが好ましい。なお、フィルタ１０は、開封前の包装袋２０には固定されていない。
【００１７】
図５は、図４のフィルタ１０及び包装袋２０を上から見た平面図である。同図からわかるように、フィルタ１０の縁部１０ａの全体を含む平面内において、縁部１０ａの長さは、包装袋２０の内面の長さに等しい。
【００１８】
図１に戻って、包装袋２０の一部には、包装袋２０の外部から内部を視認することが可能な覗き窓２２が設けられている。覗き窓２２は、フィルタ１０が包装袋２０に固定された状態で、包装袋２０の下部２０ｂとフィルタ１０との間の領域に位置する（図４参照）。覗き窓２２は、包装袋２０の上記一部を透明にすることにより形成されている。例えば、包装袋２０がアルミ蒸着フィルムからなる場合、包装袋２０の上記一部にアルミニウム層を設けずに、当該部分が透明なプラスチック層のみからなるようにすればよい。包装袋２０の外面には、覗き窓２２を覆うように、不透明のシールが剥離可能に貼付されていてもよい。その場合、シールを剥離することにより、覗き窓２２を露出させることができる。
【００１９】
包装袋２０には、可塑性部材３２（第１の可塑性部材）及び可塑性部材３４（第２の可塑性部材）が取り付けられている。可塑性部材３２及び可塑性部材３４は、包装袋２０の内面に取り付けられている。可塑性部材３２と可塑性部材３４とは、互いに異なる位置に配設されている。可塑性部材３２は、フィルタ１０が包装袋２０に固定された状態で、包装袋２０の上部２０ａとフィルタ１０との間の領域に位置する。他方、可塑性部材３４は、フィルタ１０が包装袋２０に固定された状態で、包装袋２０の下部２０ｂとフィルタ１０との間の領域に位置する。
【００２０】
可塑性部材３２は、線状ないし帯状をしており、包装袋２０の周方向に沿って延びている。可塑性部材３２は、包装袋２０の周方向の全体に延在している。可塑性部材３２は、包装袋２０の変形に追随して塑性変形する。同様に、可塑性部材３４は、線状ないし帯状をしており、包装袋２０の周方向に沿って延びている。可塑性部材３４は、包装袋２０の周方向の全体に延在している。可塑性部材３４は、包装袋２０の変形に追随して塑性変形する。各可塑性部材３２，３４の材料としては、例えば、金属又はプラスチックを用いることができる。なお、図２、図４及び図５においては、可塑性部材３２，３４の図示を省略している。
【００２１】
続いて、ドリップフィルタ収容体１の使用方法の一例を説明する。まず、包装袋２０を開封し、フィルタ１０を取り出すとともに、包装袋２０の上部２０ａ及び下部２０ｂを開口させる。次に、フィルタ１０の縁部１０ａを開口させてから、粘着材１２を介してフィルタ１０を包装袋２０の内面に貼着する。その後、図６に示すように、フィルタ１０が固定された包装袋２０を容器９０の上から被せるようにセットする。容器９０は、抽出された飲料（コーヒー）を受ける容器である。容器９０は、例えばコーヒーカップである。このとき、包装袋２０の下部２０ｂを折り返すことにより、包装袋２０の高さを必要に応じて調整することができる。その後、包装袋２０の上部２０ａの開口から湯を注ぐことにより、フィルタ１０上のコーヒー粉末からコーヒーが抽出される。抽出されたコーヒーは、フィルタ１０を通過して、容器９０内に落下する。
【００２２】
ドリップフィルタ収容体１の効果を説明する。ドリップフィルタ収容体１においては、筒状となるように開封された包装袋２０にフィルタ１０が固定される。フィルタ１０は、包装袋２０の内部空間において縁部１０ａが環状に広がった状態で固定される。このため、筒状の包装袋２０を容器９０にセットし、包装袋２０の上部２０ａの開口から湯を注ぐことにより、フィルタ１０上のコーヒー粉末からコーヒーを抽出することができる。このように本実施形態においては、開封後の包装袋２０がコーヒーの抽出に用いられる。したがって、開封後の包装袋２０を活用できるドリップフィルタ収容体１が実現されている。
【００２３】
また、フィルタ１０が包装袋２０で覆われた状態でコーヒーの抽出が行われるため、抽出中に、湯及びコーヒーが冷めにくいという利点がある。これにより、コーヒー粉末が蒸されやすくなり、より美味しいコーヒーを抽出することができる。
【００２４】
フィルタ１０は、包装袋２０の内面に貼着されることにより、包装袋２０に固定される。このため、フィルタ１０を包装袋２０に対して容易かつ安定的に固定することができる。
【００２５】
フィルタ１０は、その縁部１０ａにおいて包装袋２０の内面に貼着される。これにより、フィルタ１０の縁部１０ａと包装袋２０の内面との間に隙間が生じにくくなる。特にフィルタ１０の縁部１０ａの全体が包装袋２０の内面に貼着される場合、フィルタ１０の縁部１０ａと包装袋２０の内面との間に隙間が生じるのを確実に防ぐことができる。かかる隙間が生じると、包装袋２０の上部２０ａの開口から注がれた湯がフィルタ１０の外にこぼれるおそれがある。
【００２６】
フィルタ１０には、粘着材１２が設けられている。このため、フィルタ１０を包装袋２０の内面に貼着するための手段を別途用意しなくても、フィルタ１０を包装袋２０の内面に貼着することができる。
【００２７】
フィルタ１０は、開封前の包装袋２０には固定されていない。この場合、フィルタ１０を包装袋２０から容易に取り出すことができる。フィルタ１０を包装袋２０から一旦取り出すことにより、フィルタ１０の縁部１０ａを開口させたり、粘着材１２上の剥離紙を除去したりする作業を行いやすくなる。
【００２８】
フィルタ１０は、袋状をしている。これにより、包装袋２０の開封前から、フィルタ１０内にコーヒー粉末を入れておくことができる。特にフィルタ１０は、周囲全体が閉じた袋状をしている。これにより、フィルタ１０内にコーヒー粉末を閉じ込めておくことができる。このようにコーヒー粉末がフィルタ１０内が閉じ込められることにより、包装袋２０内でコーヒー粉末が散乱するのを防ぐことができる。
【００２９】
フィルタ１０の径は、フィルタ１０の上部から下部に向かうにつれて、単調に小さくなっている。このようにフィルタ１０の上部（縁部１０ａ）の径を大きくすることは、湯をフィルタ１０内に確実に導くのに有利である。他方、フィルタ１０の下部の径を小さくすることは、抽出されたコーヒーを容器９０内に確実に導くのに有利である。
【００３０】
包装袋２０には、覗き窓２２が設けられている。これにより、包装袋２０の外部からでも、コーヒーの抽出状況（例えば、容器９０内に溜まったコーヒーの量）を確認することができる。ただし、覗き窓２２を設けることは、必須でない。
【００３１】
覗き窓２２は、包装袋２０の一部を透明にすることにより形成されている。これにより、開封前の包装袋２０の気密性を保ちつつ、包装袋２０の外部から内部を視認することが可能な構成を容易に実現することができる。
【００３２】
包装袋２０の外面に覗き窓２２を覆うように不透明のシールが貼付されている場合、開封前の包装袋２０の内部に覗き窓２２を通じて光が射し込むのを防ぐことができる。包装袋２０の内部に光が射し込むと、コーヒー粉末が劣化しやすくなってしまう。
【００３３】
包装袋２０には、包装袋２０の変形に追随して塑性変形する可塑性部材３２，３４が取り付けられている。これにより、包装袋２０が筒状に広がった状態を維持しやすくなる。特に可塑性部材３２は、包装袋２０の上部２０ａとフィルタ１０との間の領域に位置するため、包装袋２０の上部２０ａが開口した状態を維持するのに役立つ。他方、可塑性部材３４は、包装袋２０の下部２０ｂとフィルタ１０との間の領域に位置するため、包装袋２０の下部２０ｂが開口した状態を維持するのに役立つ。ただし、可塑性部材３２，３４を設けることは、必須でない。
【００３４】
可塑性部材３２，３４は、包装袋２０の周方向に沿って延びている。これにより、各可塑性部材３２，３４の面積を小さくしても、包装袋２０が潰れるのを効率良く阻止することができる。特に可塑性部材３２，３４は、包装袋２０の周方向の全体に延在している。これにより、包装袋２０が筒状に広がった状態をより安定的に維持することができる。  
【００３５】
本発明は、上記実施形態に限定されるものではなく、様々な変形が可能である。上記実施形態において包装袋２０は、図７に示すように、上部領域２４ａと下部領域２４ｂとで内径が異なっていてもよい。ここで、包装袋２０の内径は、包装袋２０を円筒状に広げたときの直径（内寸）として定義される。上部領域２４ａは、包装袋２０における上部２０ａから中間部２０ｃまでの領域である。下部領域２４ｂは、包装袋２０における下部２０ｂから中間部２０ｃまでの領域である。中間部２０ｃは、包装袋２０の上部２０ａと下部２０ｂとの間に存在していればよく、包装袋２０を上下に２等分する位置に存在する必要はない。
【００３６】
本例において包装袋２０の側面には、ガゼット２６ａ（第１のガゼット）及びガゼット２６ｂ（第２のガゼット）が形成されている。ガゼット２６ａは、上部領域２４ａにおける包装袋２０の側面に形成されている。他方、ガゼット２６ｂは、下部領域２４ｂにおける包装袋２０の側面に形成されている。ガゼット２６ａの幅ｗ１は、ガゼット２６ｂの幅ｗ２よりも小さい。これにより、図８に示すように、包装袋２０を筒状に広げたとき、上部領域２４ａにおける包装袋２０の内径が、下部領域２４ｂにおける包装袋２０の内径よりも小さくなる。
【００３７】
このように上部領域２４ａにおける包装袋２０の内径を下部領域２４ｂにおける包装袋２０の内径よりも小さくすることにより、中間部２０ｃが容器の縁に乗るようにすることができる。これにより、容器に対して包装袋２０を容易に固定することができる。また、上述のように幅が相異なる複数のガゼット２６ａ，２６ｂを形成することにより、包装袋２０の開封前（ガゼット２６ａ，２６ｂが折り畳まれた状態）においては、包装袋２０の幅を均一にすることができる。
【００３８】
なお、上部領域２４ａにおける包装袋２０の内径が下部領域２４ｂにおける包装袋２０の内径よりも小さい構成は、図９に示すように、上部領域２４ａ及び下部領域２４ｂのうち下部領域２４ｂにおいてのみ、包装袋２０の側面にガゼット２６ｃを形成することによっても実現することができる。また、上記構成は、図１０及び図１１に示すように、包装袋２０の側面の一部を圧着することによっても実現することができる。これらの図においては、包装袋２０の側面が圧着された部分に斜線を付している。
【００３９】
図１０では、上部領域２４ａ及び下部領域２４ｂの双方において、包装袋２０の側面が圧着されている。ただし、上部領域２４ａにおける包装袋２０の側面が圧着された部分の幅ｗ３の方が、下部領域２４ｂにおける包装袋２０の側面が圧着された部分の幅ｗ４よりも大きい。図１１では、上部領域２４ａ及び下部領域２４ｂのうち上部領域２４ａにおいてのみ、包装袋２０の側面が圧着されている。
【００４０】
上記実施形態において包装袋２０の内径は、図１２に示すように、包装袋２０の上部２０ａから中間部２０ｃに向かうにつれて、単調に小さくなっていてもよい。同図においても、包装袋２０の側面の一部（斜線を付した部分）が圧着されている。詳細には、上部領域２４ａにおいて、包装袋２０の側面が圧着されている。包装袋２０の側面が圧着された部分の幅は、上部２０ａから中間部２０ｃに向かうにつれて、単調に大きくなっている。上部領域２４ａの下端における包装袋２０の内径は、フィルタ１０が下部領域２４ｂに落下しない程度の大きさとされる。なお、本例のように上部領域２４ａにおける包装袋２０の内径が一定でない場合、上部領域２４ａにおける包装袋２０の内径と下部領域２４ｂにおける包装袋２０の内径との大小関係は、上部領域２４ａにおける包装袋２０の内径の平均値と下部領域２４ｂにおける包装袋２０の内径との大小関係によって判定するものとする。下部領域２４ｂにおける包装袋２０の内径が一定でない場合も同様である。
【００４１】
このように包装袋２０の内径が上部２０ａから中間部２０ｃに向かうにつれて単調に小さくなっている場合、上部領域２４ａにフィルタ１０を乗せるだけでも、フィルタ１０を包装袋２０に固定することができる。すなわち、フィルタ１０を包装袋２０に貼着等しなくても、フィルタ１０を包装袋２０に固定することができる。
【００４２】
上記実施形態において包装袋２０には、容器に包装袋２０を固定するための固定部材が設けられていてもよい。固定部材としては、例えば、図１３に示す掛止部材４２を用いることができる。掛止部材４２は、包装袋２０の内面に取り付けられている。詳細には、包装袋２０の内面には、２つの掛止部材４２が互いに対向するように取り付けられている。図１４に示すように、包装袋２０の下部２０ｂを外側に折り返すことにより、掛止部材４２を包装袋２０の外部に露出させることができる。図１５に示すように、掛止部材４２が容器９０の縁に掛止されることにより、容器９０に包装袋２０が固定される。掛止部材４２の材料としては、例えば紙を用いることができる。
【００４３】
このように固定部材を設けることにより、容器９０に対して包装袋２０をより安定的に固定することができる。また、固定部材が包装袋２０の内面に取り付けられていることにより、開封前の包装袋２０の外部に固定部材が露出しないため、衛生的である。ただし、固定部材は、包装袋２０の外面に取り付けられてもよい。その場合、包装袋２０の下部２０ｂを折り返す必要はない。
【００４４】
なお、固定部材としては、図１６に示すように、伸縮性を有する環状部材４４を用いてもよい。環状部材４４としては、例えば輪ゴムを用いることができる。環状部材４４は、包装袋２０の内面に取り付けられている。詳細には、包装袋２０の内面には、２つの環状部材４４が互いに対向するように取り付けられている。図１７に示すように、包装袋２０の下部２０ｂを外側に折り返すことにより、環状部材４４を包装袋２０の外部に露出させることができる。図１８に示すように、環状部材４４が伸長した状態で容器９０の底部に掛止されることにより、容器９０に包装袋２０が固定される。
【００４５】
また、包装袋２０の側面には、図１９に示すように、切込予定線２８が形成されていてもよい。切込予定線２８は、例えばミシン目である。同図においては、２本の切込予定線２８が形成されている。各切込予定線２８は、包装袋２０の幅方向（同図の左右方向）に延在している。２本の切込予定線２８は、同一直線上に存在する。一方の切込予定線２８は、包装袋２０の左端から包装袋２０の途中まで延びている。もう一方の切込予定線２８は、包装袋２０の右端から包装袋２０の途中まで延びている。ただし、２本の切込予定線２８は、連続していない。包装袋２０の開封後、これらの切込予定線２８に沿って包装袋２０に切込みを入れることにより、当該部分を容器の縁に引っ掛けることができる。
【００４６】
上記実施形態においては、フィルタ１０が縁部１０ａにおいて包装袋２０の内面に貼着される場合を例示した。しかし、フィルタ１０は、縁部１０ａ以外の部分において包装袋２０の内面に貼着されてもよい。
【００４７】
上記実施形態においては、フィルタ１０に粘着材１２が設けられた場合を例示した。しかし、粘着材１２は、包装袋２０に設けられていてもよい。ただし、粘着材１２を設けることは、必須でない。フィルタ１０は、別途用意された粘着材を介して包装袋２０の内面に貼着されてもよい。
【００４８】
上記実施形態においては、包装袋２０内にコーヒー粉末が予め入っている場合を例示した。しかし、包装袋２０内には、コーヒー粉末が入っていなくてもよい。その場合、フィルタ１０を包装袋２０に固定した後に、包装袋２０内（フィルタ１０上）にコーヒー粉末を供給すればよい。
【００４９】
上記実施形態においては、フィルタ１０が袋状をしている場合を例示した。しかし、フィルタ１０が袋状をしていることは、必須でない。例えば、フィルタ１０は、平坦なシート状をしていてもよい。
【００５０】
上記実施形態においては、抽出材料がコーヒー粉末である場合を例示した。しかし、抽出材料は、フィルタ１０上で飲料を抽出できるものである限り、コーヒー粉末以外の材料であってもよい。コーヒー粉末以外の抽出材料としては、例えば、緑茶葉、紅茶葉、漢方薬等が挙げられる。
【符号の説明】
【００５１】
１  ドリップフィルタ収容体
１０  フィルタ
１０ａ  縁部
１２  粘着材
２０  包装袋
２０ａ  上部
２０ｂ  下部
２０ｃ  中間部
２２  覗き窓
２４ａ  上部領域
２４ｂ  下部領域
２６ａ  ガゼット（第１のガゼット）
２６ｂ  ガゼット（第２のガゼット）
２６ｃ  ガゼット
２８  切込予定線
３２  可塑性部材（第１の可塑性部材）
３４  可塑性部材（第２の可塑性部材）
４２  掛止部材（固定部材）
４４  環状部材（固定部材）
９０  容器
【図１】
0006379247.tif 000002
【図２】
0006379247.tif 000003
【図３】
0006379247.tif 000004
【図４】
0006379247.tif 000005
【図５】
0006379247.tif 000006
【図６】
0006379247.tif 000007
【図７】
0006379247.tif 000008
【図８】
0006379247.tif 000009
【図９】
0006379247.tif 000010
【図１０】
0006379247.tif 000011
【図１１】
0006379247.tif 000012
【図１２】
0006379247.tif 000013
【図１３】
0006379247.tif 000014
【図１４】
0006379247.tif 000015
【図１５】
0006379247.tif 000016
【図１６】
0006379247.tif 000017
【図１７】
0006379247.tif 000018
【図１８】
0006379247.tif 000019
【図１９】
0006379247.tif 000020